(57)【特許請求の範囲】
【請求項１】
ロック部材を介して、落下防止部材が取り付けられているパレットであって、パレットの上部デッキに穿設された爪挿入用開口に、落下防止部材の爪が挿入された際には、落下防止部材の爪の水平部が、上部デッキの裏面に垂設された爪当接リブに当接するとともに、上部デッキに穿設されたパレット側のロック部材挿入用開口と落下防止部材に穿設された落下防止部材側のロック部材挿入用開口との重合した部分に、ロック部材の水平板部に対して略垂直に、且つ、ロック部材の一部を構成する薄状箱状部が挿着されており、また、落下防止部材の裏面に垂設されている嵌合突部が、上部デッキに穿設されたずれ防止突起嵌合用透孔に嵌合されるように構成されていることを特徴とするパレット。
【発明の詳細な説明】
【技術分野】
【０００１】
本発明は、物品の運搬、移送、保管等に使用されるパレットに関するものである。
【背景技術】
【０００２】
従来、パレットに載置された物品が、パレットから滑り落ちないように、パレットの角部等の適当な個所に、落下防止部材を配設したパレットが、一例として、特許文献１に開示されている。
【０００３】
【特許文献１】特開平８−２６２７９号公報
【発明の開示】
【発明が解決しようとする課題】
【０００４】
上述した従来の落下防止部材のように、落下防止部材に形成された係止突片を、パレットに形成された係止孔に挿入することにより、パレットに落下防止部材を取り付けるように構成したものは、パレットへの取り付けは簡単ではあるが、係止突片が、係止孔から外れ易く、従って、落下防止部材が、パレットから外れ易いという問題があった。
【０００５】
また、従来の落下防止部材は、パレットへの取り付けが十分でないために、移動し易く、落下防止部材としての機能を確実に果たすことができないという問題があった。
【０００６】
本発明の目的は、上述した従来の合成樹脂製パレットが有する課題を解決することにある。
【課題を解決するための手段】
【０００７】
本発明は、上述した目的を達成するために、ロック部材を介して、落下防止部材が取り付けられているパレットであって、パレットの上部デッキに穿設された爪挿入用開口に、落下防止部材の爪が挿入された際には、落下防止部材の爪の水平部が、上部デッキの裏面に垂設された爪当接リブに当接するとともに、上部デッキに穿設されたパレット側のロック部材挿入用開口と落下防止部材に穿設された落下防止部材側のロック部材挿入用開口との重合した部分に、ロック部材の水平板部に対して略垂直、且つ、ロック部材の一部を構成する薄状箱状部が挿着されており、また、落下防止部材の裏面に垂設されている嵌合突部が、上部デッキに穿設されたずれ防止突起嵌合用透孔に嵌合されるように構成したものである。
【発明の効果】
【０００８】
本発明は、以上説明した構成を有しているので、以下に記載する効果を奏するものである。
【０００９】
パレットの上部デッキに、ロック部材を介して、落下防止部材が取り付けられた際には、落下防止部材に形成された中央部爪の水平部が、上部デッキの裏面に垂設された外壁側爪当接リブに、当接、或いは、外壁側爪当接リブに接近するように、上部デッキに穿設された爪挿入用外壁側開口に挿入されているとともに、上部デッキに穿設されたパレット側のロック部材挿入用開口と落下防止部材に穿設された落下防止部材側のロック部材挿入用開口との重合した部分に、ロック部材が挿着されているように構成したので、落下防止部材が、上方に移動したり水平移動するようなことがなく、しかも、落下防止部材が、パレットから離脱するようなことを防止することができる。
【００１０】
ロック部材を介して、落下防止部材が取り付けられているパレットであって、パレットの上部デッキに、ロック部材を介して、落下防止部材が取り付けられた際には、落下防止部材に形成された先端側爪の水平部が、上部デッキの裏面に垂設された内壁側爪当接リブに、当接、或いは、内壁側爪当接リブに接近するように、上部デッキに穿設された爪挿入用内壁側開口に挿入されているとともに、落下防止部材に形成された中央部爪の水平部が、上部デッキの裏面に垂設された外壁側爪当接リブに、当接、或いは、外壁側爪当接リブに接近するように、上部デッキに穿設された爪挿入用外壁側開口に挿入されており、更に、上部デッキに穿設されたパレット側のロック部材挿入用開口と落下防止部材に穿設された落下防止部材側のロック部材挿入用開口との重合した部分に、ロック部材が挿着されているように構成したので、落下防止部材が、上方に移動したり水平移動するようなことがなく、しかも、落下防止部材が、パレットから離脱するようなことを確実に防止することができる。
【００１１】
落下防止部材の裏面に垂設されている嵌合突部が、上部デッキに穿設されたずれ防止突起嵌合用透孔に嵌合されているので、落下防止部材の水平移動を、確実に阻止することができる。
【実施例】
【００１２】
以下に、本発明の実施例について説明するが、本発明の趣旨を越えない限り、何ら、本実施例に限定されるものではない。
【００１３】
図１に示されているように、パレットは、上部デッキ１及び下部デッキ２とを有しており、上部デッキ１と下部デッキ２の４つの角部は、略角筒状の隅桁３で連結されており、また、隅桁３間の中間に位置する上部デッキ１と下部デッキ２とは、略角筒状の中間桁４で連結されており、更に、上部デッキ１と下部デッキ２の中央部は、略角筒状の中央桁５で連結されている。隅桁３と中間桁４及び中間桁４と中央桁５との間には、フォーク挿入孔６が形成されている。
【００１４】
図１〜図３に示されているように、略角筒状の隅桁３は、フォーク挿入孔６側に位置するとともに、互いに略直角な一対の内壁３ａと、フォーク挿入孔６に対して外側に位置するとともに、互いに略直角な一対の外壁３ｂとから構成されている。
【００１５】
略角筒状の隅桁３の上端に連接された上部デッキ１の板状部分（以下、桁内デッキ板状部という。）１ａには、隅桁３の一方の外壁３ｂ付近で、且つ、前記の一方の外壁３ｂに沿って、平面形状が方形状の開口（以下、爪挿入用外壁側開口という。）７が、一対並設するように穿設されており、また、前記の一方の外壁３ｂと相対する内壁３ａ付近で、且つ、前記の一方の外壁３ｂに沿って、平面形状が方形状の開口（以下、爪挿入用内壁側開口という。）８が、一対並設するように穿設されており、更に、爪挿入用外壁側開口７と爪挿入用内壁側開口８との間に位置する桁内デッキ板状部１ａには、前記の一方の外壁３ｂに沿って、平面形状が方形状の開口（以下、パレット側のロック部材挿入用開口という。）９が、一対並設するように穿設されている。一対の爪挿入用外壁側開口７と一対の爪挿入用内壁側開口８と一対のパレット側のロック部材挿入用開口９とは、それぞれ、前記の一方の外壁３ｂに沿って、互いに、略平行に配置されているとともに、爪挿入用外壁側開口７と爪挿入用内壁側開口８とパレット側のロック部材挿入用開口９とは、隅桁３の前記の一方の外壁３ｂから見た場合に、略重なるように配置されている。
【００１６】
爪挿入用外壁側開口７とパレット側のロック部材挿入用開口９との間に位置する上部デッキ１の桁内デッキ板状部１ａの裏面には、隅桁３の上述した一方の外壁３ｂに略平行で、且つ、隅桁３の他方の外壁３ｂ（上述した一方の外壁３ｂと略直角する外壁）と該他方の外壁３ｂと相対する内壁３ａとを架橋するリブ（以下、外壁側爪当接リブという。）１０が垂設されており、また、パレット側のロック部材挿入用開口９と爪挿入用内壁側開口８との間に位置する上部デッキ１の桁内デッキ板状部１ａの裏面には、外壁側爪当接リブ１０と略平行で、同じく、隅桁３の前記の他方の外壁３ｂと該他方の外壁３ｂと相対する内壁３ａとを架橋するリブ（以下、内壁側爪当接リブという。）１１が垂設されている。
【００１７】
１２は、爪挿入用内壁側開口８とパレット側のロック部材挿入用開口９との間において、上部デッキ１と下部デッキ２を連結するとともに、隅桁３内を、２つの空間部に区画する区画壁であり、このような区画壁１２は、必要に応じて適宜、配設することができる。１３は、上述した一方の外壁３ｂと爪挿入用外壁側開口７との間に位置する上部デッキ１の桁内デッキ板状部１ａに、前記の一方の外壁３ｂに略平行に並設するように穿設された複数個のずれ防止突起嵌合用透孔である。
【００１８】
パレットの４つの角部に位置する全ての隅桁３の桁内デッキ板状部１ａには、上述した並設された一対の爪挿入用外壁側開口７、並設された一対の爪挿入用内壁側開口８、並設された一対のパレット側のロック部材挿入用開口９及び複数個のずれ防止突起嵌合用透孔１３が穿設されているとともに、桁内デッキ板状部１ａの裏面には、上述した外壁側爪当接リブ１０及び内壁側爪当接リブ１１が垂設されている。
【００１９】
次に、図４〜６を用いて、落下防止部材Ｄについて説明する。
【００２０】
ｄ１は、平面形状が略方形状の板状基部であり、板状基部ｄ１の一箇所の角部ｄ１ａには、隅桁３の桁内デッキ板状部１ａの角部１ａ１に形成されたアール１ａ１’に対応して、略同形状のアールｄ１ａ’が形成されている。
【００２１】
ｄ２は、板状基部ｄ１のアールｄ１ａ’が形成されている角部ｄ１ａを挟むように位置する板状基部ｄ１の互いに略直交する一対の辺ｄ１ｂ、ｄ１ｃに沿って、且つ、板状基部ｄ１に略垂直な側壁であり、側壁ｄ２の角部ｄ２ａは、桁内デッキ板状部１ａの角部１ａ１に形成されたアール１ａ１’に沿って、湾曲面状に形成されている。また、側壁ｄ２は、板状基部ｄ１の裏面ｄ１’を越えて、所定の長さだけ、下方に延在している。以下、側壁ｄ２のうち、板状基部ｄ１の上面ｄ１”より、上方に延在する部分を、立設部分ｄ２’と称し、また、裏面ｄ１’より、下方に延在する部分を、垂設部分ｄ２’と称する。従って、側壁ｄ２は、立設部分ｄ２’と垂設部分ｄ２’とにより構成されている。
【００２２】
側壁ｄ２が形成されている板状基部ｄ１の互いに略直交する一対の辺ｄ１ｂ、ｄ１ｃのうちの一辺ｄ１ｂと相対する辺ｄ１ｄ付近の板状基部ｄ１の裏面ｄ１’には、一対の爪（以下、先端側爪という。）ｄ３が、所定の間隔を置いて形成されている。先端側爪ｄ３は、板状基部ｄ１の裏面ｄ１’に略垂直な垂直部ｄ３ａと、垂直部ｄ３ａの先端から、板状基部ｄ１から遠ざかる方向に延在する水平部ｄ３ｂとから形成されている。
【００２３】
板状基部ｄ１の中央部には、先端側爪ｄ３付近に位置する板状基部ｄ１の辺ｄ１ｄに沿って、平面形状が方形状のロック部材挿入用開口（以下、落下防止部材側のロック部材挿入用開口という。）ｄ４が、一対並設するように穿設されている。落下防止部材側のロック部材挿入用開口ｄ４は、先端側爪ｄ３付近に位置する板状基部ｄ１の辺ｄ１ｄと略平行な相対する辺ｄ４ａ、ｄ４ｂと、これら辺ｄ４ａ、ｄ４ｂに直交する相対する辺ｄ４ｃ、ｄ４ｄとで囲まれている。また、先端側爪ｄ３付近に位置する板状基部ｄ１の辺ｄ１ｄと略平行な相対する辺ｄ４ａ、ｄ４ｂに沿って位置する板状基部ｄ１には、板状基部ｄ１の上面ｄ１”を下方に凹ますことにより、それぞれ、同じ深さに形成された帯状の載置段差部ｄ５、ｄ６が形成されている。なお、以下において、載置段差部ｄ５、ｄ６のうち、側壁ｄ２側に位置する載置段差部ｄ５を、側壁側載置段差部ｄ５と称し、先端側爪ｄ３側に位置する載置段差部ｄ６を、先端爪側載置段差部ｄ６と称する。
【００２４】
側壁側載置段差部ｄ５付近に位置する板状基部ｄ１の裏面ｄ１’には、一対の爪（以下、中央部爪という。）ｄ７が、所定の間隔を置いて形成されている。中央部爪ｄ７は、板状基部ｄ１の裏面ｄ１’に略垂直な垂直部ｄ７ａと、垂直部ｄ７ａの先端から、先端側爪ｄ３方向に延在する水平部ｄ７ｂとから形成されている。
【００２５】
並設された一対の落下防止部材側のロック部材挿入用開口ｄ４と、先端側爪ｄ３付近に位置する板状基部ｄ１の辺ｄ１ｄと略平行な板状基部ｄ１の辺ｄ１ｂとの間に位置する板状基部ｄ１の裏面ｄ１’には、上部デッキ１の桁内デッキ板状部１ａに穿設された複数個のずれ防止突起嵌合用透孔１３に嵌合可能な嵌合突部ｄ８が、前記の板状基部ｄ１の辺ｄ１ｂに沿って、複数個、垂設されている。
【００２６】
ｄ９は、落下防止部材Ｄを構成する側壁ｄ２の垂設部分ｄ２’の下端から、垂設部分ｄ２’に略垂直に、板状基部ｄ１の裏面ｄ１’方向に延在する水平突片であり、適当数、形成されている。なお、ｄ１０は、落下防止部材Ｄを射出成形した際に、水平突片ｄ９を成形する金型の一部を取り去った後に形成された金型孔である。
【００２７】
なお、側壁ｄ２の外面（板状基部ｄ１と反対側の面）には、所定の間隔で、補強用縦リブｄ２ｂを形成することができる。更に、側壁ｄ２が形成されていない板状基部ｄ１の先端部には、先端に向かって、下方に傾斜した傾斜面ｄ１ｅを形成することにより、後述するように、パレットの上部デッキ１の角部に、落下防止部材Ｄを取り付けた際に、上部デッキ１の上面と落下防止部材Ｄの板状基部ｄ１の先端との間に、大きな段差が形成されないように構成することが好ましい。側壁ｄ２が形成されていない板状基部ｄ１の先端部に、傾斜面ｄ１ｅを形成することにより、上部デッキ１に載置された物品を、スライドさせながら容易に、落下防止部材Ｄの板状基部ｄ１に載置することができる。
【００２８】
次に、図７及び図８を用いて、ロック部材Ｅについて説明する。
【００２９】
ロック部材Ｅは、平面形状が、略方形状の水平板部ｅ１と、底部ｅ２ａと相対する長側壁ｅ２ｂと相対する短側壁ｅ２ｃとから形成された薄状箱状部ｅ２とを有しており、薄状箱状部ｅ２の相対する長側壁ｅ２ｂの一方の長側壁ｅ２ｂの上端と水平板部ｅ１の一辺とを連接することにより、水平板部ｅ１に対して略垂直に、薄状箱状部ｅ２が連接されている。また、水平板部ｅ１に連接されていない長側壁ｅ２ｂには、その上端から底部ｅ２ａ付近まで延在する２条の縦スリットｅ３を形成することにより、弾性片ｅ４が形成されている。弾性片ｅ４の外壁面（薄状箱状部ｅ２の外側に位置する面）の中程には、水平方向に延在する係止突条ｅ５が形成されている。また、縦スリットｅ３を境に弾性片ｅ４と反対側に位置する長側壁ｅ２ｂの上端部は、外側（薄状箱状部ｅ２の内部と反対側）に水平方向に延在する載置突片ｅ６が形成されている。なお、水平板部ｅ１の厚さと載置突片ｅ６の厚さは、同じに形成されている。
【００３０】
上述したロック部材Ｅを構成する薄状箱状部ｅ２の長さ（長側壁ｅ２ｂに沿った長さ）Ｌ１は、上部デッキ１の桁内デッキ板状部１ａに穿設されたパレット側のロック部材挿入用開口９の長さ（外壁側爪当接リブ１０や内壁側爪当接リブ１１に沿った長さ）Ｌ１’より、若干、短く、また、薄状箱状部ｅ２の幅（短側壁ｅ２ｃに沿った長さ）Ｗ１は、上部デッキ１の桁内デッキ板状部１ａに穿設されたパレット側のロック部材挿入用開口９の幅（外壁側爪当接リブ１０や内壁側爪当接リブ１１に対して直角方向の長さ）Ｗ１’（図３を参照のこと）より、若干、狭く形成されており、従って、ロック部材Ｅの薄状箱状部ｅ２が、パレット側のロック部材挿入用開口９に嵌合した際には、ロック部材Ｅの薄状箱状部ｅ２とパレット側のロック部材挿入用開口９との間に、大きな間隙が生じないように構成されている。よって、パレット側のロック部材挿入用開口９に嵌合されたロック部材Ｅの薄状箱状部ｅ２が、水平方向に大きく移動することがないように構成されている。
【００３１】
なお、水平板部ｅ１の裏面には、水平板部ｅ１に連接されている薄状箱状部ｅ２の長側壁ｅ２ｂから、水平板部ｅ１の自由端方向に延在する、適当数の水平補強リブｅ７が形成されているとともに、水平板部ｅ１に連接されている長側壁ｅ２ｂの外壁面（薄状箱状部ｅ２の外側に位置する面）には、水平板部ｅ１の裏面から下方に延在する垂直補強リブｅ８が、適当数、形成されている。
【００３２】
次に、図９〜図１４を用いて、パレットの上部デッキ１の隅桁３が位置する角部への落下防止部材Ｄの取り付けについて説明する。
【００３３】
図９に示されているように、先ず最初に、落下防止部材Ｄの一対の先端側爪ｄ３の水平部ｄ３ｂを、上部デッキ１の桁内デッキ板状部１ａに穿設された一対の爪挿入用内壁側開口８に、それぞれ挿入するとともに、水平部ｄ３ｂの先端部の上面が、桁内デッキ板状部１ａの裏面に垂設された内壁側爪当接リブ１１の下端に当接、或いは、内壁側爪当接リブ１１の下端に接近して位置するようにする。同様に、落下防止部材Ｄの一対の中央部爪ｄ７の水平部ｄ７ｂを、上部デッキ１の桁内デッキ板状部１ａに穿設された一対の爪挿入用外壁側開口７に、それぞれ挿入するとともに、水平部ｄ７ｂの先端部の上面が、桁内デッキ板状部１ａの裏面に垂設された外壁側爪当接リブ１０の下端に当接、或いは、外壁側爪当接リブ１０の下端に接近して位置するようにする。
【００３４】
次いで、落下防止部材Ｄを、下方に、強制的に押しなから、落下防止部材Ｄを、上部デッキ１の中間桁４方向（図９において、左方向）に移動させて、図１０に示されているように、落下防止部材Ｄの一対の先端側爪ｄ３全体を、上部デッキ１の桁内デッキ板状部１ａに穿設された一対の爪挿入用内壁側開口８に、それぞれ挿入するとともに、一対の中央部爪ｄ７全体を、上部デッキ１の桁内デッキ板状部１ａに穿設された一対の爪挿入用外壁側開口７に、それぞれ挿入すると、同時に、落下防止部材Ｄの板状基部ｄ１の裏面ｄ１’に垂設されている嵌合突部ｄ８を、上部デッキ１の桁内デッキ板状部１ａに穿設されたずれ防止突起嵌合用透孔１３に嵌合させる。
【００３５】
上述したように、落下防止部材Ｄの先端側爪ｄ３全体が、上部デッキ１の桁内デッキ板状部１ａに穿設された爪挿入用内壁側開口８に挿入され、また、一対の中央部爪ｄ７全体が、上部デッキ１の桁内デッキ板状部１ａに穿設された爪挿入用外壁側開口７に挿入され、更に、上部デッキ１の桁内デッキ板状部１ａに穿設されたずれ防止突起嵌合用透孔１３に、落下防止部材Ｄの板状基部ｄ１の裏面ｄ１’に垂設されている嵌合突部ｄ８が嵌合された際には、上部デッキ１の桁内デッキ板状部１ａに穿設されたパレット側のロック部材挿入用開口９の略全部が、落下防止部材Ｄの板状基部ｄ１に穿設された落下防止部材側のロック部材挿入用開口ｄ４のうち、先端側爪ｄ３側に位置する半分程度と重なるように構成されている。
【００３６】
次いで、上部デッキ１の桁内デッキ板状部１ａに穿設されたパレット側のロック部材挿入用開口９と落下防止部材Ｄの板状基部ｄ１に穿設された落下防止部材側のロック部材挿入用開口ｄ４との重合した部分に、上部デッキ１の上面側から、ロック部材Ｅの薄状箱状部ｅ２を挿着するとともに、ロック部材Ｅの水平板部ｅ１が、落下防止部材Ｄの板状基部ｄ１に穿設された落下防止部材側のロック部材挿入用開口ｄ４近傍に形成された側壁側載置段差部ｄ５に載置され、また、ロック部材Ｅの載置突片ｅ６が、落下防止部材側のロック部材挿入用開口ｄ４近傍に形成された先端爪側載置段差部ｄ６に載置されるように構成されている。なお、ロック部材Ｅの水平板部ｅ１及び載置突片ｅ６の厚さＤ１が、側壁側載置段差部ｄ５の深さ（上部デッキ１の桁内デッキ板状部１ａの上面と側壁側載置段差部ｄ５の上面との差）Ｄ１’及び該深さＤ１’と同じ深さを有する先端爪側載置段差部ｄ６の深さ（上部デッキ１の桁内デッキ板状部１ａの上面と先端爪側載置段差部ｄ６の上面との差）と、それぞれ略同じに形成されているので、上部デッキ１の桁内デッキ板状部１ａに、ロック部材Ｅを介して、落下防止部材Ｄを取り付けた際には、ロック部材Ｅが、上部デッキ１の桁内デッキ板状部１ａから突出しないように構成されている。従って、落下防止部材Ｄの板状基部ｄ１に載置される物品が、ロック部材Ｅに引っ掛かり、その移動が阻止されるようなことを防止することができる。なお、ロック部材Ｅの水平板部ｅ１の裏面に形成された水平補強リブｅ７は、前記の側壁側載置段差部ｄ５に載置されることなく、落下防止部材側のロック部材挿入用開口ｄ４に挿入されるように構成されている。
【００３７】
また、ロック部材Ｅの薄状箱状部ｅ２を、上部デッキ１の桁内デッキ板状部１ａに穿設されたパレット側のロック部材挿入用開口９と落下防止部材Ｄの板状基部ｄ１に穿設された落下防止部材側のロック部材挿入用開口ｄ４との重合した部分に挿着する際には、ロック部材Ｅの弾性片ｅ４に突設された係止突条ｅ５が、パレット側のロック部材挿入用開口９を形成する、爪挿入用内壁側開口８側の縁部９ａ及び落下防止部材Ｄに形成された先端爪側載置段差部ｄ６に当接することになるが、係止突条ｅ５が形成されているロック部材Ｅの弾性片ｅ４は、弾性を有しているので、弾性片ｅ４は、その弾性力に抗して、水平板部ｅ１方向に弾性変形し、ロック部材Ｅの弾性片ｅ４に突設された係止突条ｅ５が、パレット側のロック部材挿入用開口９を越えて下方に移動し、ロック部材Ｅの水平板部ｅ１が、落下防止部材Ｄの板状基部ｄ１に穿設された落下防止部材側のロック部材挿入用開口ｄ４近傍に形成された側壁側載置段差部ｄ５に載置され、また、ロック部材Ｅの載置突片ｅ６が、落下防止部材Ｄの板状基部ｄ１に穿設された落下防止部材側のロック部材挿入用開口ｄ４近傍に形成された先端爪側載置段差部ｄ６に載置された時点では、ロック部材Ｅの弾性片ｅ４が、その復元弾性力により、元の位置に戻ると同時に、ロック部材Ｅの弾性片ｅ４に突設された係止突条ｅ５が、図１２や図１３に示されているように、上部デッキ１の桁内デッキ板状部１ａの裏面に当接、或いは、桁内デッキ板状部１ａの裏面に接近して位置するように構成されている。従って、ロック部材Ｅが、簡単には、上部デッキ１の桁内デッキ板状部１ａに穿設されたパレット側のロック部材挿入用開口９と落下防止部材Ｄの板状基部ｄ１に穿設された落下防止部材側のロック部材挿入用開口ｄ４との重合した部分から抜け出ることがないように構成されている。
【００３８】
また、上述したようにして、上部デッキ１の角部に位置する桁内デッキ板状部１ａに、ロック部材Ｅを介して、落下防止部材Ｄが取り付けられた際には、ロック部材Ｅの薄状箱状部ｅ２が、上部デッキ１の桁内デッキ板状部１ａに穿設されたパレット側のロック部材挿入用開口９と落下防止部材Ｄの板状基部ｄ１に穿設された落下防止部材側のロック部材挿入用開口ｄ４との重合した部分に挿着され、ロック部材Ｅの薄状箱状部ｅ２が、パレット側のロック部材挿入用開口９に嵌合された際には、ロック部材Ｅの薄状箱状部ｅ２とパレット側のロック部材挿入用開口９との間に、大きな間隙が生じないように構成されているので、ロック部材Ｅの薄状箱状部ｅ２により、落下防止部材Ｄが水平移動するようなことを阻止することができる。
【００３９】
更に、上述したようにして、上部デッキ１の角部に位置する桁内デッキ板状部１ａに、ロック部材Ｅを介して、落下防止部材Ｄが取り付けられた際には、落下防止部材Ｄの板状基部ｄ１の裏面ｄ１’に垂設されている嵌合突部ｄ８が、上部デッキ１の桁内デッキ板状部１ａに穿設されたずれ防止突起嵌合用透孔１３に嵌合されているので、落下防止部材Ｄの水平移動を、確実に阻止することができる。なお、上述したように、ロック部材Ｅの薄状箱状部ｅ２が、上部デッキ１の桁内デッキ板状部１ａに穿設されたパレット側のロック部材挿入用開口９と落下防止部材Ｄの板状基部ｄ１に穿設された落下防止部材側のロック部材挿入用開口ｄ４との重合した部分に挿着され、ロック部材Ｅの薄状箱状部ｅ２が、パレット側のロック部材挿入用開口９に嵌合された際には、ロック部材Ｅの薄状箱状部ｅ２とパレット側のロック部材挿入用開口９との間に、大きな間隙が生じないように構成されていることにより、落下防止部材Ｄの水平移動を阻止することができるので、落下防止部材Ｄの板状基部ｄ１の裏面ｄ１’に垂設されている嵌合突部ｄ８及び上部デッキ１の桁内デッキ板状部１ａに穿設されたずれ防止突起嵌合用透孔１３を省略することもできる。
【００４０】
更にまた、上述したようにして、上部デッキ１の角部に位置する桁内デッキ板状部１ａに、ロック部材Ｅを介して、落下防止部材Ｄが取り付けられた際には、落下防止部材Ｄを構成する側壁ｄ２の垂設部分ｄ２’の下端から、垂設部分ｄ２’に略垂直に、且つ、板状基部ｄ１の裏面ｄ１’方向に延在する水平突片ｄ９が、上部デッキ１の裏面に接近して位置するように構成されているので、落下防止部材Ｄが上方に持ち上げられても、水平突片ｄ９が、上部デッキ１の隅桁３から突出している部分に当接し、落下防止部材Ｄの上方移動を阻止することができる。
【００４１】
なお更に、上述したようにして、上部デッキ１の角部に位置する桁内デッキ板状部１ａに、ロック部材Ｅを介して、落下防止部材Ｄが取り付けられた際には、落下防止部材Ｄの先端側爪ｄ３の水平部ｄ３ｂの上面が、桁内デッキ板状部１ａの裏面に垂設された内壁側爪当接リブ１１の下端に当接、或いは、内壁側爪当接リブ１１の下端に接近して位置するとともに、落下防止部材Ｄの中央部爪ｄ７の水平部ｄ７ｂが、桁内デッキ板状部１ａの裏面に垂設された外壁側爪当接リブ１０の下端に当接、或いは、外壁側爪当接リブ１０の下端に接近して位置するように構成されているので、ロック部材Ｅが、上方に移動するようなことを、確実に防止することができる。
【００４２】
パレットの上部デッキ１から、落下防止部材Ｄを取り外すには、ロック部材Ｅの弾性片ｅ４を、その弾性力に抗して弾性変形させて、ロック部材Ｅの弾性片ｅ４に突設された係止突条ｅ５を、上部デッキ１の桁内デッキ板状部１ａの裏面から移動させて排出し、その後、ロック部材Ｅを、上方に持ち上げて、上部デッキ１の桁内デッキ板状部１ａに穿設されたパレット側のロック部材挿入用開口９と落下防止部材Ｄの板状基部ｄ１に穿設された落下防止部材側のロック部材挿入用開口ｄ４との重合した部分から抜き取る。その後、落下防止部材Ｄを、強制的に、持ち上げながら、落下防止部材Ｄを、上部デッキ１の中間桁４と反対方向に移動させて、落下防止部材Ｄの先端側爪ｄ３を、上部デッキ１の桁内デッキ板状部１ａに穿設された爪挿入用内壁側開口８から排出するとともに、中央部爪ｄ７を、上部デッキ１の桁内デッキ板状部１ａに穿設された爪挿入用外壁側開口７から排出し、更に、落下防止部材Ｄの板状基部ｄ１の裏面ｄ１’に垂設されている嵌合突部ｄ８を、上部デッキ１の桁内デッキ板状部１ａに穿設されたずれ防止突起嵌合用透孔１３から排出することにより、落下防止部材Ｄを、パレットの上部デッキ１から取り外すことができる。
【００４３】
上述したように、パレットの上部デッキ１の角部に位置する桁内デッキ板状部１ａに、ロック部材Ｅを介して、落下防止部材Ｄが取り付けられた際には、落下防止部材Ｄに形成された先端側爪ｄ３の水平部ｄ３ｂが、桁内デッキ板状部１ａの裏面に垂設された内壁側爪当接リブ１１に、当接、或いは、内壁側爪当接リブ１１に接近するように、上部デッキ１の桁内デッキ板状部１ａに穿設された爪挿入用内壁側開口８に挿入されているとともに、落下防止部材Ｄに形成された中央部爪ｄ７の水平部ｄ７ｂが、桁内デッキ板状部１ａの裏面に垂設された外壁側爪当接リブ１０に、当接、或いは、外壁側爪当接リブ１０に接近するように、上部デッキ１の桁内デッキ板状部１ａに穿設された爪挿入用外壁側開口７に挿入されており、更に、上部デッキ１の桁内デッキ板状部１ａに穿設されたパレット側のロック部材挿入用開口９と落下防止部材Ｄの板状基部ｄ１に穿設された落下防止部材側のロック部材挿入用開口ｄ４との重合した部分に、ロック部材Ｅの薄状箱状部ｅ２が挿着されているので、落下防止部材Ｄが、上方に移動したり水平移動するようなことを防止することができる。
【００４４】
また、パレットの上部デッキ１の角部に位置する桁内デッキ板状部１ａに、ロック部材Ｅを介して、落下防止部材Ｄが取り付けられた際には、ロック部材Ｅの弾性片ｅ４に突設された係止突条ｅ５が、上部デッキ１の桁内デッキ板状部１ａの裏面に当接、或いは、桁内デッキ板状部１ａの裏面に接近して位置するように構成されているので、ロック部材Ｅが、上部デッキ１の桁内デッキ板状部１ａに穿設されたパレット側のロック部材挿入用開口９と落下防止部材Ｄの板状基部ｄ１に穿設された落下防止部材側のロック部材挿入用開口ｄ４との重合した部分から抜け出ることを防止することができる。
【００４５】
更に、パレットの上部デッキ１の角部に位置する桁内デッキ板状部１ａに、ロック部材Ｅを介して、落下防止部材Ｄが取り付けられた際には、落下防止部材Ｄの板状基部ｄ１の裏面ｄ１’に垂設されている嵌合突部ｄ８が、上部デッキ１の桁内デッキ板状部１ａに穿設されたずれ防止突起嵌合用透孔１３に嵌合するように構成されているので、落下防止部材Ｄの水平移動を、確実に阻止することができる。
【００４６】
上述した実施例には、落下防止部材Ｄを、パレットの角部に位置する隅桁３の桁内デッキ板状部１ａに取り付けた例が示されているが、落下防止部材Ｄを、隅桁３間の中間に位置する上部デッキ１と下部デッキ２とを連結する中間桁４に取り付けることもできる。この場合には、中間桁４のの上端に連接された、上述したと同様の上部デッキ１の板状部分１ａに、上述した並設された一対の爪挿入用外壁側開口７、並設された一対の爪挿入用内壁側開口８、並設された一対のパレット側のロック部材挿入用開口９及び複数個のずれ防止突起嵌合用透孔１３が穿設されているとともに、桁内デッキ板状部１ａの裏面には、上述した外壁側爪当接リブ１０及び内壁側爪当接リブ１１が垂設されることになる。更に、落下防止部材Ｄを構成する側壁ｄ２は、先端側爪ｄ３付近に位置する板状基部ｄ１の辺ｄ１ｄと略平行な板状基部ｄ１の辺ｄ１ｂにみに形成され、該辺ｄ１ｂと略直交する辺ｄ１ｃには形成されないことになる。
【００４７】
なお、上述した実施例には、パレットの上部デッキ１の角部に位置する隅桁３の桁内デッキ板状部１ａに、ロック部材Ｅを介して、落下防止部材Ｄが取り付けた例が示されているが、上述したように、中間桁４にも取り付けることができるし、また、隅桁３及び中間桁４が配設されていない上部デッキ１に、上述したように、並設された一対の爪挿入用外壁側開口７、並設された一対の爪挿入用内壁側開口８、並設された一対のパレット側のロック部材挿入用開口９及び複数個のずれ防止突起嵌合用透孔１３を穿設するとともに、隅桁３及び中間桁４が配設されていない上部デッキ１の裏面には、外壁側爪当接リブ１０及び内壁側爪当接リブ１１を垂設することにより、隅桁３及び中間桁４が配設されていない上部デッキ１に、ロック部材Ｅを介して、落下防止部材Ｄを取り付けることもできる。しかしながら、隅桁３及び中間桁４が配設されていない上部デッキ１に、ロック部材Ｅを介して、落下防止部材Ｄを取り付ける場合には、フォークが当接しないような位置に取り付けることが好ましい。隅桁３及び中間桁４に、ロック部材Ｅを介して、落下防止部材Ｄが取り付けた場合には、フォークが、ロック部材Ｅや落下防止部材Ｄに当接することはないので、ロック部材Ｅや落下防止部材Ｄが、フォークに当接し、損傷するようなことを確実に防止することができ、従って、隅桁３及び中間桁４に、ロック部材Ｅを介して、落下防止部材Ｄを取り付けることが好ましい。
【００４８】
上述した実施例には、パレットの上部デッキ１の角部に位置する桁内デッキ板状部１ａに、ロック部材Ｅを介して、落下防止部材Ｄが取り付けられた際には、落下防止部材Ｄに形成された先端側爪ｄ３の水平部ｄ３ｂが、桁内デッキ板状部１ａの裏面に垂設された内壁側爪当接リブ１１に、当接、或いは、内壁側爪当接リブ１１に接近するように、上部デッキ１の桁内デッキ板状部１ａに穿設された爪挿入用内壁側開口８に挿入されているとともに、落下防止部材Ｄに形成された中央部爪ｄ７の水平部ｄ７ｂが、桁内デッキ板状部１ａの裏面に垂設された外壁側爪当接リブ１０に、当接、或いは、外壁側爪当接リブ１０に接近するように、上部デッキ１の桁内デッキ板状部１ａに穿設された爪挿入用外壁側開口７に挿入されており、更に、上部デッキ１の桁内デッキ板状部１ａに穿設されたパレット側のロック部材挿入用開口９と落下防止部材Ｄの板状基部ｄ１に穿設された落下防止部材側のロック部材挿入用開口ｄ４との重合した部分に、ロック部材Ｅの薄状箱状部ｅ２が挿着されるように構成した例が示されているが、落下防止部材Ｄから、先端側爪ｄ３を省略し、落下防止部材Ｄには、一対の中央部爪ｄ７のみを形成することもできる。この場合には、上部デッキ１の桁内デッキ板状部１ａに穿設された爪挿入用内壁側開口８や桁内デッキ板状部１ａの裏面に垂設された内壁側爪当接リブ１１は省略されることになる。
【００４９】
なお、上述した実施例には、上部デッキ１と下部デッキ２とが、４つの隅桁３と４つの中間桁４と１つの中央桁５により連結されており、パレットの各側面には、それぞれ、２個のフォーク挿入孔６が形成されている、所謂、四方差しのパレットが示されているが、相対する側面に、それぞれ、２個のフォーク挿入孔が形成されており、他の相対する側面には、フォーク挿入孔が形成されていない、所謂、二方差しのパレットに、上述した本発明を適用することもできる。
【図面の簡単な説明】
【００５０】
【図１】図１は、本発明のパレットの斜視図である。
【図２】図２は、本発明のパレットの隅桁付近の部分斜視図である。
【図３】図３は、本発明のパレットの一部断面を含む隅桁付近の部分斜視図である。
【図４】図４は、本発明のパレットに取り付けられる落下防止部材の斜視図である。
【図５】図５は、本発明のパレットに取り付けられる落下防止部材の裏面斜視図である。
【図６】図６は、本発明のパレットに取り付けられる落下防止部材の側断面図である。
【図７】図７は、本発明のパレットに取り付けられるロック部材の斜視図である。
【図８】図８は、本発明のパレットに取り付けられるロック部材の裏面斜視図である。
【図９】図９は、落下防止部材が取り付けられる直前の本発明のパレットと落下防止部材の一部断面を含む部分斜視図である。
【図１０】図１０は、落下防止部材が取り付けられた状態の本発明のパレットと落下防止部材の一部断面を含む部分斜視図である。
【図１１】図１１は、ロック部材を介して、落下防止部材が取り付けられた状態の本発明のパレットの一部断面を含む部分斜視図である。
【図１２】図１２は、同じく、ロック部材を介して、落下防止部材が取り付けられた状態の本発明のパレットの一部断面を含む部分斜視図である。
【図１３】図１３は、同じく、ロック部材を介して、落下防止部材が取り付けられた状態の本発明のパレットの一部断面を含む部分拡大斜視図である。
【図１４】図１４は、同じく、ロック部材を介して、落下防止部材が取り付けられた状態の本発明のパレットの部分斜視図である。
【符号の説明】
【００５１】
Ｄ・・・・・・・・・・・・・落下防止部材
ｄ１・・・・・・・・・・・・板状基部
ｄ２・・・・・・・・・・・・側壁
ｄ３・・・・・・・・・・・・先端側爪
ｄ４・・・・・・・・・・・・ロック部材挿入用開口
ｄ７・・・・・・・・・・・・中央部爪
ｄ８・・・・・・・・・・・・嵌合突部
Ｅ・・・・・・・・・・・・・ロック部材
ｅ１・・・・・・・・・・・・水平板部
ｅ２・・・・・・・・・・・・薄状箱状部
ｅ４・・・・・・・・・・・・弾性片
ｅ５・・・・・・・・・・・・係止突条
１・・・・・・・・・・・・・上部デッキ
２・・・・・・・・・・・・・下部デッキ
３・・・・・・・・・・・・・隅桁
４・・・・・・・・・・・・・中間桁
５・・・・・・・・・・・・・中央桁
６・・・・・・・・・・・・・フォーク挿入孔
７・・・・・・・・・・・・・爪挿入用外壁側開口
８・・・・・・・・・・・・・爪挿入用内壁側開口
９・・・・・・・・・・・・・ロック部材挿入用開口
１０・・・・・・・・・・・・外壁側爪当接リブ
１１・・・・・・・・・・・・内壁側爪当接リブ
【図１】
0004751711.tif 000002
【図２】
0004751711.tif 000003
【図３】
0004751711.tif 000004
【図４】
0004751711.tif 000005
【図５】
0004751711.tif 000006
【図６】
0004751711.tif 000007
【図７】
0004751711.tif 000008
【図８】
0004751711.tif 000009
【図９】
0004751711.tif 000010
【図１０】
0004751711.tif 000011
【図１１】
0004751711.tif 000012
【図１２】
0004751711.tif 000013
【図１３】
0004751711.tif 000014
【図１４】
0004751711.tif 000015